(57)【要約】【課題】ボルト等の固定部材の操作が一切不要で、分離する部材が無く、折り畳みと組み立て（使用状態へのセッティング）が共に簡単な操作で容易にでき、取り扱い性の向上を図れる折り畳み手すりを提供する。【解決手段】折り畳み手すり１は手すり部１１を有する左右一対のメインフレーム３Ａ、３Ｂと、メインフレーム３Ａ、３Ｂの前方間を連結する前方フレーム５と、後方間を連結する後方フレーム７を有している。前方フレーム５と後方フレーム７はメインフレーム３Ａ、３Ｂに対して水平回動自在に且つ軸方向に抜け止めされた状態に連結されており、マーク４３同士が近づくように全体を直線状に扁平化した後、マーク４５同士が近づくようにメインフレーム３Ｂを回動して二つ折りにすると、メインフレーム３Ａ、３Ｂが前方フレーム５内に収容され、コンパクトに折り畳まれる。【選択図】図１
0003121108.tif 000002
【実用新案登録請求の範囲】
【請求項１】
略水平に延び且つ互いに略平行な手すり部をそれぞれ上部に有する左右一対のメインフレームと、これらのメインフレームの前方間を連結する前方フレームと、前記各メインフレームの後方間を連結する後方フレームとを有し、前記各メインフレームに対して前記前方フレーム及び前記後方フレームはそれぞれ水平回動自在に連結され、全体を直線状に扁平化した後さらに二つ折りに折り畳み可能であることを特徴とする折り畳み手すり。
【請求項２】
請求項１記載の折り畳み手すりにおいて、
前記各メインフレーム、前記前方フレーム及び前記後方フレームがパイプ材で形成され、前記各メインフレームは四角形状をなし、各連結部は、パイプ内に挿入された芯材の小径部にパイプの外側から径方向に打ち込まれたピンにより軸方向に抜け止めされた構成を有していることを特徴とする折り畳み手すり。
【請求項３】
請求項１又は２記載の折り畳み手すりにおいて、
前記前方フレームが、前記メインフレームの前後方向の幅よりも大きい幅を有し、且つ、前記各メインフレームの前方から同方向へ略水平に延びた後略直角に下がり、さらに略直角に折れて連なる形状を有していることを特徴とする折り畳み手すり。
【請求項４】
請求項３記載の折り畳み手すりにおいて、
前記後方フレームが、前記各メインフレームの後方から前記メインフレーム間の幅方向に互いに近づくように略水平に延びた後略垂直に立ち上がり、さらに略直角に折れて連なる形状を有し、前記立ち上がり部が分割されて水平回動自在に連結され、前記連結部分は、パイプ内に挿入された芯材の小径部にパイプの外側から径方向に打ち込まれたピンにより軸方向に抜け止めされた構成を有し、前記後方フレームの高さは前記メインフレームの枠内に入る大きさに設定されていることを特徴とする折り畳み手すり。
【請求項５】
請求項１乃至４のうちのいずれかに記載の折り畳み手すりにおいて、
折り畳む順序を示すマークが順序毎に区別して一対ずつ設けられ、同じマーク同士を近づけるように操作することにより折り畳みが段階的になされることを特徴とする折り畳み手すり。
【請求項６】
請求項１乃至５のうちのいずれかに記載の折り畳み手すりにおいて、
前記各メインフレーム及び前記前方フレームの底面側を一体に連結する着脱自在な底部材を有していることを特徴とする折り畳み手すり。
【請求項７】
請求項１乃至５のうちのいずれかに記載の折り畳み手すりにおいて、
前記各メインフレーム及び前記前方フレームの底面側を一体に連結する底部材を有し、前記底部材と前記前方フレームとの連結部は固定されているとともに、前記底部材と前記各メインフレームとの連結部は着脱自在に構成され、且つ、前記底部材の前記前方フレームとの連結部近傍には前記底部材の後方側を上方に回動自在なヒンジ部が設けられ、折り畳む際には、前記底部材と前記各メインフレームとの連結部を外した状態で折り畳み、最後に前記底部材の後方側を上方に回動して前記底部材と前記各メインフレームとの連結部のいずれか一方を係合して保持することを特徴とする折り畳み手すり。
【請求項８】
請求項６又は７記載の折り畳み手すりにおいて、
前記底部材がＴ字状に形成されていることを特徴とする折り畳み手すり。
【考案の詳細な説明】
【技術分野】
【０００１】
本考案は、肘掛けを有しない折り畳みイスや簡易トイレ等を囲むように配置して使用され、これらの肘掛け機能や手すり機能を支援する折り畳み手すりに関する。
【背景技術】
【０００２】
一般に、各種の集会場では、肘掛けの無い折り畳みイスが使用されているが、足腰の弱いお年寄りには長時間の肘掛けなしの姿勢はきつく、また、イスに座る時と立つ時に手でつかまる部分が無いため、苦労する場合がある。
お年寄りや介護を要する人が簡易トイレを使用する場合にも同様の問題がある。
特許文献１に開示されているように、肘掛けを有する折り畳みイスもあるが、コンパクト性を重視する観点から肘掛けの長さは短く、つかまって座ったり、立ったりする場合の手すりの安定感はない。
【０００３】
特許文献２には、洋式トイレや簡易トイレを使用する場合に手すり機能を得ることができる折り畳み可能なフレーム構造が開示されている。
このフレーム構造は、両側に設けた水平状手すりと、これらの前後部に設けた前脚及び後脚と、前脚間に渡した左右連結敷板と、後脚間に渡した左右連結杆と、前脚と後脚間に渡した前後連結杆とを有する構成となっている。
手すりは後脚にパイプ状のジョイント部を介して水平回動自在に連結され、前記ジョイント部に螺合するボルトを締め付けることにより組み立て後の固定状態を保つようになっている。
また、前脚に対する左右連結敷板の固定と、前脚と後脚に対する前後連結杆の固定もボルト締め方式となっている。
【０００４】
折り畳む際には、その明細書の段落「００２０」〜「００２５」に記載されているように、前脚に対する左右連結敷板の固定と、前脚と後脚に対する前後連結杆の固定をボルトを緩めて外した後、ジョイント部のボルトを緩めて後脚に対して手すりをフリーな状態にし、一方の手すりを後脚間に渡した左右連結杆の前側に畳み、他方の手すりを左右連結杆の後ろ側に畳んで、左右連結杆を挟んだ３層に扁平化（コンパクト化）するようになっている。
【特許文献１】特開２００３−３１０３８１号公報
【特許文献２】特開２００１−７０２０２号公報
【考案の開示】
【考案が解決しようとする課題】
【０００５】
特許文献２に開示されたフレーム構造によれば、不使用時の折り畳み構成をコンパクトにできる。
しかしながら、折り畳む際には少なくとも数箇所におけるボルト回し操作が必要であり、さらに分離した部材は注意して同一箇所に保管しなければならず、面倒であった。
また、組み立てるときは分離した部材の位置合わせをした後、ボルトを締め付ける操作が必要であり、折り畳み時以上の煩わしさがあった。
【０００６】
そこで、本考案は、ボルト等の固定部材の操作が一切不要で、分離する部材が無く、折り畳みと組み立て（使用状態へのセッティング）が共に簡単な操作で容易にでき、取り扱い性の向上を図れる折り畳み手すりの提供を、その目的とする。
【課題を解決するための手段】
【０００７】
請求項１記載の考案は、略水平に延び且つ互いに略平行な手すり部をそれぞれ上部に有する左右一対のメインフレームと、これらのメインフレームの前方間を連結する前方フレームと、前記各メインフレームの後方間を連結する後方フレームとを有し、前記各メインフレームに対して前記前方フレーム及び前記後方フレームはそれぞれ水平回動自在に連結され、全体を直線状に扁平化した後さらに二つ折りに折り畳み可能であることを特徴とする折り畳み手すりである。
【０００８】
請求項２記載の考案は、請求項１記載の折り畳み手すりにおいて、前記各メインフレーム、前記前方フレーム及び前記後方フレームがパイプ材で形成され、前記各メインフレームは四角形状をなし、各連結部は、パイプ内に挿入された芯材の小径部にパイプの外側から径方向に打ち込まれたピンにより軸方向に抜け止めされた構成を有していることを特徴とする折り畳み手すりである。
【０００９】
請求項３記載の考案は、請求項１又は２記載の折り畳み手すりにおいて、前記前方フレームが、前記メインフレームの前後方向の幅よりも大きい幅を有し、且つ、前記各メインフレームの前方から同方向へ略水平に延びた後略直角に下がり、さらに略直角に折れて連なる形状を有していることを特徴とする折り畳み手すりである。
【００１０】
請求項４記載の考案は、請求項３記載の折り畳み手すりにおいて、前記後方フレームが、前記各メインフレームの後方から前記メインフレーム間の幅方向に互いに近づくように略水平に延びた後略垂直に立ち上がり、さらに略直角に折れて連なる形状を有し、前記立ち上がり部が分割されて水平回動自在に連結され、前記連結部分は、パイプ内に挿入された芯材の小径部にパイプの外側から径方向に打ち込まれたピンにより軸方向に抜け止めされた構成を有し、前記後方フレームの高さは前記メインフレームの枠内に入る大きさに設定されていることを特徴とする折り畳み手すりである。
【００１１】
請求項５記載の考案は、請求項１乃至４のうちのいずれかに記載の折り畳み手すりにおいて、折り畳む順序を示すマークが順序毎に区別して一対ずつ設けられ、同じマーク同士を近づけるように操作することにより折り畳みが段階的になされることを特徴とする折り畳み手すりである。
【００１２】
請求項６記載の考案は、請求項１乃至５のうちのいずれかに記載の折り畳み手すりにおいて、前記各メインフレーム及び前記前方フレームの底面側を一体に連結する着脱自在な底部材を有していることを特徴とする折り畳み手すりである。
【００１３】
請求項７記載の考案は、請求項１乃至５のうちのいずれかに記載の折り畳み手すりにおいて、前記各メインフレーム及び前記前方フレームの底面側を一体に連結する底部材を有し、前記底部材と前記前方フレームとの連結部は固定されているとともに、前記底部材と前記各メインフレームとの連結部は着脱自在に構成され、且つ、前記底部材の前記前方フレームとの連結部近傍には前記底部材の後方側を上方に回動自在なヒンジ部が設けられ、折り畳む際には、前記底部材と前記各メインフレームとの連結部を外した状態で折り畳み、最後に前記底部材の後方側を上方に回動して前記底部材と前記各メインフレームとの連結部のいずれか一方を係合して保持することを特徴とする折り畳み手すりである。
【００１４】
請求項８記載の考案は、請求項６又は７記載の折り畳み手すりにおいて、前記底部材がＴ字状に形成されていることを特徴とする折り畳み手すりである。
【考案の効果】
【００１５】
本考案によれば、折り畳みイスや簡易トイレの手すり機能を容易に支援することができる。
また、コンパクトな折り畳みと組み立てが共に簡単な操作で容易にできるので、取り扱い性の向上を図ることができる。
【考案を実施するための最良の形態】
【００１６】
以下、本考案の第１の実施の形態を図１乃至図７に基づいて説明する。
図１に示すように、本実施の形態に係る折り畳み手すり１は、アルミニウム合金製のパイプ材で構成されており、四角形状の枠をなす左右一対のメインフレーム３Ａ、３Ｂと、これらのメインフレーム３Ａ、３Ｂの前方間を連結する前方フレーム５と、各メインフレーム３Ａ、３Ｂの後方間を連結する後方フレーム７とを有している。
各メインフレーム３Ａ、３Ｂは、略水平に延び且つ互いに略平行な手すり部１１と、底部１３と、前後の垂直部１５、１７を有している。手すり部１１には手でつかみやすくするためのグリップ１９が設けられている。グリップ１９は滑りにくさとクッション性を得るためにクッション材で形成されている。
床面に接する底部１３には、床面に対する滑りにくさ、衝撃緩和、傷防止の観点からクッション材２１がそれぞれ２箇所に設けられている。
【００１７】
前方フレーム５は、メインフレーム３Ａ、３Ｂの前後方向の幅（外幅）Ｗ１よりも大きい幅（内幅）Ｗ２を有しており、折り畳み時にメインフレーム３Ａ、３Ｂを収容できるようになっている。
前方フレーム５は、各メインフレーム３Ａ、３Ｂの前方の垂直部１５から前方へ略水平に延びる突出部２３と、突出部２３から略直角に下がる立下り部２５と、立下り部２５から略直角に折れて連なる底部２７から構成されている。
床面に接する底部２７には、メインフレーム３Ａ、３Ｂの底部１３と同様に、クッション材２１が２箇所に設けられている。
【００１８】
後方フレーム７は、各メインフレーム３Ａ、３Ｂの後方の垂直部１７からメインフレーム３Ａ、３Ｂ間の幅方向に互いに近づくように略水平に延びる突出部２９と、突出部２９から略垂直に立ち上がる立ち上がり部３１と、立ち上がり部３１から略直角に折れて連なる上部３３から構成されている。上部３３には、折り畳みイスの背もたれ部との接触衝撃を緩和するクッション材２１が設けられている。
後方フレーム７の高さＨ１は、折り畳んだ時にメインフレーム３Ａ、３Ｂの枠内に入るように、メインフレーム３Ａ、３Ｂの高さＨ２よりも低く設定されている。
また、後方フレーム７は、折り畳んだ時に前方フレーム５と干渉しないように、メインフレーム３Ａ、３Ｂに対し前方フレーム５よりも上方に設けられている。
【００１９】
メインフレーム３Ａ、３Ｂの前方の垂直部１５には上下を分離された連結部１５ａが設けられており、この連結部１５ａに前方フレーム５の突出部２３が溶接等の方法により接続されている。
連結部１５ａの内部には、連結部１５ａの高さを上下側で超える長さの円柱状の芯材３５が挿入されており、後述するように垂直部１５との関係において軸方向に抜け止めされた状態で連結部１５ａは水平回動自在となっている。
メインフレーム３Ａ、３Ｂの後方の垂直部１７には上下を分離された連結部１７ａが設けられており、上記と同様の連結構造となっている。
【００２０】
図２及び図３に示すように、後方フレーム７の立ち上がり部３１の分離部における上下では、芯材３７に環状溝３７ａが形成されており、この小径部（環状溝３７ａ）に立ち上がり部３１の外側から径方向にピン３９が打ち込まれて軸方向の抜け止めがなされている。ピン３９の太さ、数はパイプの材質等により適宜決定される。
連結部１５ａ、１７ａと垂直部１５、１７との連結構造も上記と同様となっている。
【００２１】
次に、本実施の形態に係る折り畳み手すり１の使用方法を説明する。
図４は、肘掛けを有しない折り畳みイス４１を囲むように折り畳み手すり１を配置した状態を示している。
折り畳みイス４１の両側上部に手すり部１１がイスの前後方向のほぼ全体に亘って安定して存在するので、足腰の弱いお年寄りでも、手すり部１１につかまることによって楽に座ることができ、あるいは立ち上がることができる。
また、座っている間は手すり部１１に肘を掛けることにより楽な姿勢を保つことができる。
【００２２】
不使用時には、折り畳み手すり１は、工具を用いることなく且つ手でネジ部材を回すことなく、何ら部材を取り外すことなく折り畳むことができる。
図１に示すように、略対角線上に位置する部位（ここでは連結部）には、例えば赤色のマーク４３が設けられており、逆の略対角線上に位置する部位には黄色のマーク４５が設けられている。
これらのマークは折り畳みの順序を示しており、ここでは最初に赤色のマーク４３同士を近づけ、次に黄色のマーク４５同士を近づけるように操作する。マークの種類、位置、数等はこれに限定される趣旨ではなく、適宜採用することができる。
【００２３】
赤色のマーク４３同士を近づけると、図５に示すように、折り畳み手すり１は直線状に扁平化される。この状態から、図６に示すように、黄色のマーク４５同士を近づけるように、すなわち、メインフレーム３Ｂをメインフレーム３Ａとの間で後方フレーム７を挟むように矢印Ｒ方向に回すと、図７に示すように、扁平化された状態からさらに二つ折りにすることができる。
二つ折りにしたとき、メインフレーム３Ａ、３Ｂは前方フレーム５内に重なって収容される。
【００２４】
後方フレーム７は、メインフレーム３Ａ、３Ｂに対して水平回動自在に連結されるとともに立ち上がり部３１も水平回動自在な連結部を有しているため、図１に示すように、突出部２９が立ち上がり部３１と同一垂直面内に位置する場合と、立ち上がり部３１に対して突出部２９が水平面上で角度を有する場合があり、後方フレーム７のメインフレーム３Ａ、３Ｂ間方向の幅は変化する。
二つ折りにしたときは、図７に示すように、立ち上がり部３１に対して水平面上で角度を有して幅は短くなり、メインフレーム３Ａの枠内に収められる。
これによって、最終的に二つ折りにした構成は非常にコンパクトとなる。
後方フレーム７のメインフレーム３Ａ、３Ｂ間方向の幅を、折り畳んだときにメインフレーム３Ａの枠内に入るように小さくすれば立ち上がり部３１における水平回動自在な連結構造は不要である。この場合、折り畳み手すり１を使用可能に広げたときに、前方フレーム５側は広く、後方フレーム７側は狭いフレーム構成となる。
【００２５】
折り畳み手すり１を屋外で使用する場合、例えばキャンプ場等において折り畳みイスに肘掛け機能を付加するような場合には、Ｕ字状のフック部を有する打ち込みステッキを地面に打ち込み、メインフレーム３Ａ、３Ｂの底部１３を複数箇所押えて固定することもできる。
この場合、打ち込みステッキのフック部をクッション材２１に被せるようにすれば傷発生を防止できる。
【００２６】
次に、図８及び図９に基づいて第２の実施の形態説明する。なお第１の実施の形態と同一部分は同一符号で示し、特に必要がない限り既にした構成上及び機能上の説明は省略して要部のみ説明する（以下の他の実施の形態において同じ）。
本実施の形態では、図８に示すように、メインフレーム３Ａ、３Ｂと前方フレーム５の底面側を一体に連結する着脱自在な底部材４７を有している。折り畳み手すり１を簡易トイレの支援部材として用いる場合には強固な安定感が必要であり、その観点から底部材４７が設けられている。
底部材４７は、アルミニウム合金の細幅板でＴ字状に形成されており、各先端部にはメインフレーム３Ａ、３Ｂの底部１３を係合する係合凹部４７ａ、４７ｂ、前方フレーム５の底部２７を係合する係合凹部４７ｃが設けられている。
【００２７】
図９に示すように、係合凹部４７ｂの表面には摩擦係数の高いゴムやスポンジ等のクッション材４９が固定されており、その弾性変形を利用してパイプ（底部１３）をガタツキなくフィットした状態で係合できるようになっている。他の係合凹部４７ａ、４７ｃも同様の構成である。クッション材４９の存在により着脱によるパイプへの傷も防止される。
底部材４７を装着した後、底部材４７の上に図示しない簡易トイレが設置される。
折り畳み収納時は底部材４７を外して図示しないバンド材により手すり本体と一体に締結すればよい。
【００２８】
図１０及び図１１に基づいて第３の実施の形態を説明する。
第２の実施の形態における底部材４７は着脱自在であり、手すり本体とは分離するため収納・保管が面倒である。本実施の形態ではこの面倒さを軽減することを目的としている。
図１０に示すように、本実施の形態におけるＴ字状の底部材５１は、メインフレーム３Ａ、３Ｂに対しては底部材４７と同様の着脱自在な係合凹部５１ａ、５１ｂを有しているが、前方フレーム５に対する連結部５１ｃは溶接等の方法により一体に固定されている。
底部材５１における前方フレーム５との連結部５１ｃの近傍には、底部材５１の後方側を上方に回動自在とするヒンジ部５１ｄが設けられている。
【００２９】
折り畳む際には、図１１に示すように、底部材５１と各メインフレーム３Ａ、３Ｂとの連結部を外した状態で手すり本体を折り畳み、最後に底部材５１の後方側を上方に回動して底部材５１と各メインフレーム３Ａ、３Ｂとの連結部のいずれか一方（係合凹部５１ａ、５１ｂのいずれか一方）を係合して保持する。
この場合、係合凹部５１ａ、５１ｂのいずれか一方を係合せずに、底部材５１の後方側を折り曲げた後、底部材５１と手すり本体とを単に図示しないバンド部材で一体に締結してもよい。
【００３０】
以上、本考案の実施の形態について詳述してきたが、具体的構成は、この実施の形態に限られるものではなく、本考案の要旨を逸脱しない範囲における設計の変更などがあっても考案に含まれる。
例えば、上記各実施の形態ではアルミニウム合金製のパイプ材で構成したがプラスチック製のパイプ材で構成してもよい。また、底部材４７、５１をＴ字状としたが、例えば三角形状としてもよい。
【図面の簡単な説明】
【００３１】
【図１】本考案の第１の実施の形態に係る折り畳み手すりの使用状態の斜視図である。
【図２】水平回動自在な連結部の一部断面の斜視図である。
【図３】水平回動自在な連結部の横断面図である。
【図４】折り畳みイスとの位置関係を示す斜視図である。
【図５】折り畳み時の最初の段階である直線状に扁平化した状態の斜視図である。
【図６】扁平化した状態からさらに二つ折りするときの初期の状態を示す斜視図である。
【図７】最終的に折り畳んだ状態の斜視図である。
【図８】第２の実施の形態に係る折り畳み手すりの使用状態の斜視図である。
【図９】第２の実施の形態において、底部材とメインフレームとの連結部の断面図である。
【図１０】第３の実施の形態に係る折り畳み手すりの使用状態の斜視図である。
【図１１】第３の実施の形態において、最終的に折り畳んだ状態の斜視図である。
【符号の説明】
【００３２】
１    折り畳み手すり
３Ａ、３Ｂ    メインフレーム
５    前方フレーム
７    後方フレーム
１１    手すり部
３５、３７    芯材
３９    ピン
４３、４５    マーク
４７、５１    底部材
５１ｄ    連結部
【図１】
0003121108.tif 000003
【図２】
0003121108.tif 000004
【図３】
0003121108.tif 000005
【図４】
0003121108.tif 000006
【図５】
0003121108.tif 000007
【図６】
0003121108.tif 000008
【図７】
0003121108.tif 000009
【図８】
0003121108.tif 000010
【図９】
0003121108.tif 000011
【図１０】
0003121108.tif 000012
【図１１】
0003121108.tif 000013